(57)【要約】【課題】調圧精度を確保しながら、永久磁石を用いてソレノイド力をアシストすることにより消費電力の低減を図る。【解決手段】ソレノイドケース３１を鉄などの強磁性材料により形成し、ソレノイドケース３１の貫通孔３１ａを貫通してケース外に突出するようプランジャ３６の軸中心に連結棒７１を連結し、縮径部７４ａの内周面に螺旋状の溝が設けられたカバー７４を外周面に螺旋状に溝が設けられた連結棒７１にねじ込むことによりソレノイドケース３１のケース外で磁石ユニット７０を連結棒７１に取り付ける。これにより、リニアソレノイド弁２０として組み付けた後でも、比較的簡単に磁石ユニット７０と強磁性体であるソレノイドケース３１との間隔を微調整することができる。【選択図】図１
2012021611.tif 000002
【特許請求の範囲】
【請求項１】
各種ポートが形成された中空部に摺動可能に挿入され該各種ポートのポート間の継断を行なうスプールを有する弁部と、コイルへの通電を伴って可動部に推力を発生させることにより前記スプールを移動させるソレノイド部と、該ソレノイド部の推力とは逆方向に前記スプールを付勢する付勢部材と、前記ソレノイド部を収容するソレノイドケースとを備えるリニアソレノイド弁であって、
前記ソレノイドケースに形成された貫通孔を貫通してケース外に突出するよう前記可動部に連結された軸部材を備え、
前記ソレノイドケースに永久磁石と該永久磁石に吸着される磁気吸着材とのうちの一方が形成され、前記軸部材に前記永久磁石と前記磁気吸着材とのうちの他方が該永久磁石と該磁気吸着材との隙間の調整が可能な隙間調整部を介して取り付けられてなる
ことを特徴とするリニアソレノイド弁。
【請求項２】
請求項１記載のリニアソレノイド弁であって、
前記ソレノイドケースは、前記磁気吸着材として機能するよう強磁性材料により形成され、
前記軸部材に前記永久磁石が前記隙間調整部としてねじ込みにより取り付けられてなる
ことを特徴とするリニアソレノイド弁。
【請求項３】
請求項２記載のリニアソレノイド弁であって、
前記ソレノイドケース側が開口した状態で前記永久磁石を収容し、前記軸部材にねじ込みにより取り付けられた強磁性のカバー部材を備える
ことを特徴とするリニアソレノイド弁。
【請求項４】
前記カバー部材は、前記永久磁石を収容した状態で底縁から開口縁までの高さが該永久磁石よりも高くなるよう形成されてなることを特徴とする請求項３記載のリニアソレノイド弁。
【請求項５】
請求項３または４記載のリニアソレノイド弁であって、
前記カバー部材は、前記軸部材にねじ込まれた状態でカシメにより該軸部材に回転不能に固定されてなることを特徴とする
リニアソレノイド弁。
【請求項６】
請求項３または４記載のリニアソレノイド弁であって、
前記軸部材は、先端の軸断面が多角形状に形成され、
前記カバー部材に固定される固定部と、該固定部から延伸され前記軸部材の先端の側面を狭持することにより該軸部材を保持するU字状で且つ可撓性の保持部と、が形成された固定具を備える
ことを特徴とするリニアソレノイド弁。
【発明の詳細な説明】
【技術分野】
【０００１】
本発明は、各種ポートが形成された中空部に摺動可能に挿入され該各種ポートのポート間の継断を行なうスプールを有する弁部と、コイルへの通電を伴って可動部に推力を発生させることにより前記スプールを移動させるソレノイド部と、該ソレノイド部の推力とは逆方向に前記スプールを付勢する付勢部材と、前記ソレノイド部を収容するソレノイドケースとを備えるリニアソレノイド弁に関する。
【背景技術】
【０００２】
従来、この種のリニアソレノイド弁としては、バルブハウジングに摺動可能に挿入されたスプール弁子と、電磁コイルへの通電によりソレノイド推力を発生させてスプール弁子を開弁方向に駆動するリニアソレノイド部と、バルブハウジングのリニアソレノイド部とは反対の端部にねじ止めされた強磁性体である蓋体と、スプール弁子の先端と蓋体との間に挿入されスプール弁子を閉弁方向に付勢する戻りスプリングと、スプール弁子の先端に蓋体（強磁性体）と対向するよう固定された永久磁石とを備えるものが提案されている（例えば、特許文献１参照）。このソレノイド弁では、リニアソレノイド部の電磁コイルが励磁されてソレノイド推力によりスプール弁子が開弁方向のストローク端付近まで移動すると、永久磁石と強磁性体である蓋体との接近に伴って磁気吸引力が発生することにより、戻りスプリングの付勢力がある程度打ち消される。このため、ソレノイド部のソレノイド推力を低減させてもスプール弁子をストローク端で保持することができ、消費電力を抑制したり電磁コイルの発熱を抑制したりすることができるとしている。なお、磁気吸引力は戻りスプリングの付勢力よりも弱いため、電磁コイルが非励磁されると、スプール弁子は戻りスプリングの付勢力により閉弁方向のストローク端まで移動するようになっている。
【先行技術文献】
【特許文献】
【０００３】
【特許文献１】特開２００９−２５０３１５号公報
【発明の概要】
【発明が解決しようとする課題】
【０００４】
このように、永久磁石と強磁性体とによる磁気吸引力でソレノイド部のソレノイド推力をアシストすることにより、消費電力を抑制することができるが、磁気吸引力がリニアソレノイド弁としての調圧精度に悪影響を与えないよう永久磁石と強磁性体（蓋体）との距離を適切に調整する必要がある。上述したリニアソレノイド弁は、強磁性体である蓋体をねじ止めによりバルブハウジングに取り付けるものとしているから、ねじ込みの深さを調節することにより、永久磁石と強磁性体との距離を調整することができる。しかしながら、蓋体はスプリングを受けるスプリング受けとしても機能するため、スプリング荷重も同時に調整され、調圧精度に悪影響を与えてしまう。
【０００５】
本発明のリニアソレノイド弁は、調圧精度を確保しながら、永久磁石を用いてソレノイド力をアシストすることにより消費電力の低減を図ることを主目的とする。
【課題を解決するための手段】
【０００６】
本発明のリニアソレノイド弁は、上述の主目的を達成するために以下の手段を採った。
【０００７】
本発明のリニアソレノイド弁は、
各種ポートが形成された中空部に摺動可能に挿入され該各種ポートのポート間の継断を行なうスプールを有する弁部と、コイルへの通電を伴って可動部に推力を発生させることにより前記スプールを移動させるソレノイド部と、該ソレノイド部の推力とは逆方向に前記スプールを付勢する付勢部材と、前記ソレノイド部を収容するソレノイドケースとを備えるリニアソレノイド弁であって、
前記ソレノイドケースに形成された貫通孔を貫通してケース外に突出するよう前記可動部に連結された軸部材を備え、
前記ソレノイドケースに永久磁石と該永久磁石に吸着される磁気吸着材とのうちの一方が形成され、前記軸部材に前記永久磁石と前記磁気吸着材とのうちの他方が該永久磁石と該磁気吸着材との隙間の調整が可能な隙間調整部を介して取り付けられてなる
ことを要旨とする。
【０００８】
この本発明のリニアソレノイド弁では、ソレノイドケースに形成された貫通孔を貫通してケース外に突出するよう軸部材をソレノイド部の可動部に連結させ、ソレノイドケースに永久磁石と磁気吸着材とのうちの一方を形成し、軸部材に永久磁石と磁気吸着材とのうちの他方を永久磁石と磁気吸着材との隙間の調整が可能な隙間調整部を介して取り付ける。これにより、リニアソレノイド弁として組み付けた後でも、永久磁石と磁気吸着材との間隔を比較的容易に調整することができる。この結果、調圧精度を確保しながら、永久磁石と磁気吸着材との間の磁気吸引力によってソレノイド部の推力をアシストすることができ、消費電力を低減させることができる。ここで、「隙間調整部」には、ねじ込みによるものが含まれる。
【０００９】
こうした本発明のリニアソレノイド弁において、前記ソレノイドケースは、前記磁気吸着材として機能するよう強磁性材料により形成され、前記軸部材に前記永久磁石が前記隙間調整部としてねじ込みにより取り付けられてなるものとすることもできる。この態様の本発明のリニアソレノイド弁において、前記ソレノイドケース側が開口した状態で前記永久磁石を収容し、前記軸部材にねじ込みにより取り付けられた強磁性のカバー部材を備えるものとすることもできる。こうすれば、永久磁石の磁石面と強磁性のカバー部材との間に磁力線を集中させることができるから、磁気吸引力を向上させることができ、小型化することができる。また、軸部材に永久磁石を直接固定するために永久磁石を加工する必要をなくすことができる。さらにこの態様の本発明のリニアソレノイド弁において、前記カバー部材は、前記永久磁石を収容した状態で底縁から開口縁までの高さが該永久磁石よりも高くなるよう形成されてなるものとすることもできる。こうすれば、強磁性のソレノイドケースに永久磁石が吸引される際にケースと磁石とが直接に接触しないから、磁石の破損を防止することができる。また、磁石面に異物が付着しても、スプールのストローク精度に悪影響を与えないようにすることができる。
【００１０】
また、永久磁石を収容するカバー部材を備える態様の本発明のリニアソレノイド弁において、前記カバー部材は、前記軸部材にねじ込まれた状態でカシメにより該軸部材に回転不能に固定されてなるものとすることもできるし、前記軸部材は、先端の軸断面が多角形状に形成され、前記カバー部材に固定される固定部と、該固定部から延伸され前記軸部材の先端の側面を狭持することにより該軸部材を保持するU字状で且つ可撓性の保持部と、が形成された固定具を備えるものとすることもできる。
【図面の簡単な説明】
【００１１】
【図１】本発明の一実施例としてのリニアソレノイド弁２０の構成の概略を示す構成図である。
【図２】リニアソレノイド弁２０を含む油圧回路の構成の概略を示す構成図である。
【図３】永久磁石７２の磁束の分布の様子を示す説明図である。
【図４】ソレノイドケース３１に磁石ユニット７０が吸引されている様子を示す説明図である。
【図５】リニアソレノイド弁２０のソレノイド電流Ｉと出力圧との関係を示す説明図である。示す説明図である。
【図６】ストロークＳと、ソレノイド力と磁力との合力との関係を示す説明図である。
【図７】変形例の磁石ユニット１６０の構成の概略を示す構成図である。
【図８】固定ピンの１６８の外観を示す外観図である。
【発明を実施するための形態】
【００１２】
次に、本発明を実施するための最良の形態を実施例を用いて説明する。
【実施例】
【００１３】
図１は本発明の一実施例としてのリニアソレノイド弁２０の構成の概略を示す構成図であり、図２はリニアソレノイド弁２０を含む油圧回路の構成の概略を示す構成図である。実施例のリニアソレノイド弁２０は、ノーマルクローズ型のリニアソレノイドバルブとして構成されており、図１に示すように、電磁コイル３２への通電を伴って推力（ソレノイド力）を発生させるソレノイド部３０と、このソレノイド部３０のソレノイド力によって開弁方向に駆動され入力した油圧を調圧して出力する調圧バルブ部４０と、ソレノイド部３０のソレノイド力をアシストして調圧バルブ部４０を開弁状態で保持するための磁石ユニット７０と、を備える。このリニアソレノイド弁２０は、例えば、オートマチックトランスミッションに組み込まれたクラッチやブレーキの油圧制御に用いられ、図２に示すように、ポンプ８２によりストレーナ８１を介して吸引されリニアソレノイド弁８６による駆動制御を受けてレギュレータバルブ８４により調圧された油圧（ライン圧）を入力ポート５２を介して入力し調圧して出力ポート５４を介してクラッチ８８に供給する。
【００１４】
ソレノイド部３０は、底付き円筒部材としてのソレノイドケース３１と、ソレノイドケース３１の内周側に配置され絶縁性のボビン３２ａに絶縁導線が巻回されてなる電磁コイル３２と、ソレノイドケース３１の開口端部に外周部が固定されたフランジ部３４ａとフランジ部３４ａの内径側から電磁コイル３２の内周面に沿って軸方向に延伸された円筒部３４ｂとからなる第１のコア３４と、ソレノイドケース３１の底部に配置され電磁コイル３２の内周面に沿って第１のコア３４の円筒部３４ｂと所定間隔を隔てた位置まで軸方向に延伸された円筒状の第２のコア３５と、第２のコア３５の内周側に挿入され第１および第２のコア３４，３５の内周面を軸方向に摺動可能なプランジャ３６と、第１のコア３４の円筒部３４ｂの内周側に挿入されプランジャ３６の先端に当接すると共に円筒部３４ｂの内周面を軸方向に摺動可能なシャフト３８と、を備える。また、ソレノイド部３０は、電磁コイル３２からの端子がソレノイドケース３１の外周部に形成されたコネクタ部３９に配策されており、この端子を介して電磁コイル３２への通電が行なわれる。
【００１５】
第１のコア３４の円筒部３４ｂは、外周面では先端に向かうほど外径が小さくなるようテーパ状に形成され、内周面ではシャフト３８の外径よりも大きな外径のプランジャ３６の先端部が嵌挿可能に段差部３４ｃが形成されている。段差部３４ｃには、プランジャ３６が第１のコア３４に直接当接しないよう非磁性材料により形成された環状のリング３４ｄが設けられている。
【００１６】
ソレノイドケース３１と第１のコア３４と第２のコア３５とプランジャ３６は、いずれも純度の高い鉄やニッケル，コバルトなどの強磁性材料により形成されており、第１のコア３４の円筒部３４ｂの端縁と第２のコア３５の端縁との間の空間は、非磁性体として機能する。なお、この空間は、非磁性体として機能させればよいから、ステンレススチールや黄銅などの非磁性金属を設けるものとしても構わない。
【００１７】
ソレノイド部３０では、電磁コイル３２に通電すると、ソレノイドケース３１，第２のコア３５，プランジャ３６，第１のコア３４，ソレノイドケース３１の順に電磁コイル３２の周囲を周回するよう磁束が流れる磁気回路が形成され、これにより第１のコア３４とプランジャ３６との間に磁気吸引力が作用してプランジャ３６が吸引される。前述したように、プランジャ３６の先端には第１のコア３４の内周面を軸方向に摺動可能なシャフト３８が当接されているから、プランジャ３６の吸引に伴ってシャフト３８は前方に押し出される。
【００１８】
プランジャ３６にはシャフト３６が当接していない方の端部の軸中心に内周面に螺旋状の溝が設けられた凹部３６ａが形成されており、ソレノイドケース３１の底部にはプランジャ３６の軸中心の直線上に貫通孔３１ａが形成されている。この凹部３６ａには貫通孔３１ａを貫通してソレノイドケース３１のケース外に突出するよう外周面に螺旋状の溝が設けられた連結棒７１の一端側がねじ止めされており、この連結棒７１の他端側に磁石ユニット７０が取り付けられている。
【００１９】
磁石ユニット７０は、図１に示すように、環状の永久磁石（例えば、ネオジウム磁石やフェライト磁石など）６２と、強磁性材料により形成されソレノイドケース３１側の磁石面（上面）が露出するよう開口すると共に永久磁石７２の外周面と底面とを覆う環状のカバー７４とにより構成されており、カバー７４における永久磁石７２を覆う部位よりも縮径された縮径部７４ａの内周面に設けられた螺旋状の溝を連結棒７１の他端側の外周面に設けられた螺旋状の溝にねじ込んでカシメることにより連結棒７１に固定されている。この磁石ユニット７０は、実施例では、ソレノイドケース３１が強磁性材料により形成されていることから、ソレノイドケース３１に近接すると、永久磁石７２，ソレノイドケース３１，カバー７４を周回するよう磁束が流れる磁気回路が形成され、永久磁石７２がソレノイドケース３１に吸引される。図３に永久磁石７２の磁束の分布の様子を示し、図４にソレノイドケース３１に磁石ユニット７０が吸引されている様子を示す。なお、図３（ａ）は永久磁石７２をカバー７４で覆ったときの磁束の分布を示し、図３（ｂ）は永久磁石７２をカバー７４で覆わないときの磁束の分布を示す。永久磁石７２の磁束の分布は、図３に示すように、永久磁石７２をカバー７４で覆った場合には、永久磁石７２とカバー７４との間で磁気回路が形成されるから、永久磁石７２をカバー７４で覆わない場合に比して、磁束が集中する。したがって、磁石ユニット７０がソレノイドケース３１に近接しているときには吸引力はより強くなり、磁石ユニット７０がソレノイドケース３１から離れているときには吸引力はより弱くなる。また、カバー７４は、底縁から開口縁までの高さＨ１が永久磁石７２の底面から上面までの高さＨ２よりも高くなるよう形成されており（図３参照）、磁石ユニット７０がソレノイドケース３１に吸引された際にソレノイドケース３１が永久磁石７２に直接接触しないようにしている（図４参照）。
【００２０】
調圧バルブ部４０は、図１に示すように、油路が形成されたバルブボディ１０に組み込まれており、一端がソレノイド部３０のソレノイドケース３１および第１のコア３４に取り付けられ略円筒状の内部空間を形成するスリーブ５０と、スリーブ５０の内部空間に挿入され一端がソレノイド部３０のシャフト３８の先端に当接されたスプール６０と、スリーブ５０の他端にねじ止めされたエンドプレート４２と、エンドプレート４２とスプール６０の他端との間に設けられてスプール６０をソレノイド部３０側の方向へ付勢するスプリング４４とを備える。なお、エンドプレート４２は、そのねじ込み量を調整することにより、スプリング４４の付勢力を微調整することができるようになっている。
【００２１】
スリーブ５０は、その内部空間の開口部として、作動油を入力する入力ポート５２と、入力した作動油を吐出する出力ポート５４と、入力した作動油をドレンするドレンポート５６と、出力ポート５４上の作動油をバルブボディ１０の内壁とスリーブ５０の外壁とにより形成された油路５８ａを介して入力してスプール６０にフィードバック力を作用させるためのフィードバックポート５８とが形成されている。
【００２２】
スプール６０は、スリーブ５０の内部空間に挿入されてスリーブ５０内を摺動する軸状部材として形成されており、図１に示すように、ソレノイド部３０側のランド６２と、ランド６２に隣接する中央のランド６４と、ランド６４に隣接しランド６４よりも外径の小さなランド６６と、ランド６２，６４間を連結しランド６２，６４の外径よりも小さな外径で且つ互いのランド６２，６４から中央部に向かうほど外径が小さくなるようテーパ状に形成され入力ポート５２と出力ポート５４とドレンポート５６の各ポート間を連通可能な縮径部６８と、を備える。なお、ランド６４，６６の間には、フィードバックポート５８が形成されており、フィードバックポート５８から入力された油圧は、ランド間の径差（受圧面積差）に応じた差圧によってフィードバック力としてスプリング４４の付勢力と同方向にスプール６０を押圧する。
【００２３】
こうして構成された実施例のリニアソレノイド弁２０の動作について説明する。図５は、リニアソレノイド弁２０のソレノイド電流Ｉと出力圧との関係を示す説明図であり、図６は、ストロークＳと、ソレノイド力と磁力との合力との関係を示す説明図である。図６（ａ）にストロークＳとソレノイド力との関係をストロークＳと磁力との関係を示し、図６（ｂ）にストロークＳと合力との関係を示す。いま、電磁コイル３２への通電が停止されている場合を考える。この場合、スプール６０はスプリング４４の付勢力によりソレノイド部３０側へ移動しているから、ランド６４により入力ポート５２が閉塞されると共に縮径部６８を介して出力ポート５４とドレンポート５６とが連通する。したがって、出力ポート５４から出力される出力圧はゼロとなる。一方、電磁コイル３２への通電が開始されると、電磁コイル３２に流れるソレノイド電流Ｉが大きいほど大きな吸引力（ソレノイド力）をもって第１のコア３４にプランジャ３６が吸引され、これに伴って先端にスプール６０が当接されたシャフト３８が前方に押し出され、スプール６０がスプリング４４側へ移動する。このとき、スプール６０は、スプリング４４側に移動するほど入力ポート５２の開口面積を広げると共にドレンポート５６の開口面積を狭め、出力ポート５４から出力する出力圧を増大させる。また、スプール６０がスプリング４４側のストローク端まで移動すると、入力ポート５２と出力ポート５４とが完全に連通すると共にドレンポート５６が完全に閉塞し、出力ポート５４から最大圧Ｐｍａｘが出力される。ここで、磁石ユニット７０は、スプール６０がスプリング４４側のストローク端に近づくほど強磁性体であるソレノイドケース３１に近づいてソレノイド力をアシストする方向に吸引力（磁力）が増大し、スプール６０がストローク端まで移動したときに吸引力が最大となる。したがって、スプール６０がストローク端まで移動したときには、電磁コイル３２に流す電流を所定電流Ｉｓに低下させても、ソレノイド力と磁力との合力によりスプール６０はストローク端で保持され、最大圧Ｐｍａｘの出力が維持される。電磁コイル３２に流すソレノイド電流Ｉを所定電流Ｉｓよりも更に低下させると、ソレノイド力の低下により、スプリング４４のバネ力がソレノイド力と磁力との合力に打ち勝ち、出力ポート５４の油圧がドレンポート５６を介してドレンされる。油圧のドレンは、所定電流Ｉｓから値０に向けてソレノイド電流Ｉを徐々に低下させることにより徐々に行なうことができる。
【００２４】
このように、リニアソレノイド弁２０による出力圧の調圧は、電磁コイル３２に流れるソレノイド電流Ｉの大きさを変更することによって行なわれるが、閉弁方向の出力圧の調圧は、磁石ユニット７０の磁力により、所定電流Ｉｓから値０の範囲内でしか行なうことができないため、ソレノイドケース３１と磁気ユニット６０との間の間隔をより適切に管理しなければならない。実施例では、ソレノイドケース３１を強磁性材料により形成し、ソレノイドケース３１の貫通孔３１ａを貫通してケース外に突出するようプランジャ３６の軸中心に連結棒７１を連結し、縮径部７４ａの内周面に螺旋状の溝が設けられたカバー７４を外周面に螺旋状に溝が設けられた連結棒７１にねじ込むことによりソレノイドケース３１のケース外で磁石ユニット７０を連結棒７１に取り付けるものとしたから、リニアソレノイド弁２０として組み付けた後でも、比較的簡単に磁石ユニット７０と強磁性体であるソレノイドケース３１との間の間隔を微調整することができる。
【００２５】
以上説明した実施例のリニアソレノイド弁２０によれば、ソレノイドケース３１を強磁性材料により形成し、ソレノイドケース３１の貫通孔３１ａを貫通してケース外に突出するようプランジャ３６の軸中心に連結棒７１を連結し、縮径部７４ａの内周面に螺旋状の溝が設けられたカバー７４を外周面に螺旋状に溝が設けられた連結棒７１にねじ込むことによりソレノイドケース３１のケース外で磁石ユニット７０を連結棒７１に取り付けたから、リニアソレノイド弁２０として組み付けた後でも、比較的簡単に磁石ユニット７０と強磁性体であるソレノイドケース３１との間隔を微調整することができる。この結果、調圧精度を確保しながら、永久磁石６２とソレノイドケース３１（強磁性体）との間の磁力よりソレノイド部３０の推力をアシストすることができ、消費電力を低減させることができる。しかも、磁石ユニット７０を、永久磁石７２と、ソレノイドケース３１側の上面が露出するよう開口すると共に永久磁石７２の外周面と底面とを覆う環状のカバー７４とにより構成するから、永久磁石７２の磁束の分布を永久磁石７２とカバー７４との間に集中させることができ、磁石ユニット７０がソレノイドケース３１に近接しているときには吸引力はより強くし、磁石ユニット７０がソレノイドケース３１から離れているときには吸引力はより弱くすることができる。さらに、カバー７４は、底縁から開口縁までの高さＨ１が永久磁石７２の底面から上面までの高さＨ２よりも高くなるよう形成しているから、磁石ユニット７０がソレノイドケース３１に吸引された際にソレノイドケース３１が永久磁石７２に直接接触することがなく、破損などを防止することができる。また、ソレノイドケース３１と永久磁石７２との間に異物が侵入するものとしても、その異物がスプール６０のストロークに悪影響を与えるのを防止することができる。
【００２６】
実施例のリニアソレノイド弁２０では、カバー７４の縮径部７４ａの内周面に設けられた螺旋状の溝と連結棒７１の外周面に設けられた螺旋状の溝とによりカバー７４を連結棒７１にねじ込んだ状態でかしめることにより磁石ユニット７０を連結棒７１に固定するものとしたが、これに限定されるものではなく、例えば、図７に示すように、固定金具１７８を用いて磁石ユニット１７０を連結棒１７１に固定するものとしてもよい。図８は、固定金具１７８の外観を示す外観図である。この変形例では、連結棒１７１は、その先端の断面が六角形状に形成されており、固定金具１７８は、カバー１７４の縮径部１７４ａの外周面を拘束する円弧状の第１ピン１７８ａと、第１ピン１７８ａと一体に連結され連結棒１７１の先端の側面を両側から狭持して拘束するＵ字状の第２ピン１７８ｂとから形成されている。第２ピン１６８ｂは、可撓性を有しており、カバー１７４に対して所定トルク以上の回転トルクを付与されたときに、第２ピン１７８ｂの拘束が解除され、カバー１７４を６０度単位で回転させることができるようになっている。したがって、６０度単位の回転量に応じたねじ込み量で永久磁石７２とソレノイドケース３１との間隔を微調整することができる。ここで、連結棒１７１の先端の断面形状は、六角形に限られず、四角形や八角形などの他の多角形の形状とするものとしても構わない。なお、連結棒１７１の断面形状を四角形とする場合には、９０度単位でカバー１７４のねじ込み量を調節することができ、連結棒１７１の断面形状を八角形とする場合には、４５度単位でカバー１７４のねじ込み量を調節することができる。
【００２７】
実施例のリニアソレノイド弁２０では、永久磁石７２にカバー７４を取り付けると共にカバー７４を連結棒７１にねじ込みにより取り付けるものとしたが、カバー７４を用いることなく、永久磁石を直接に連結棒７１に取り付けるものとしても構わない。ただし、この場合、永久磁石の加工が必要となる。
【００２８】
実施例のリニアソレノイド弁２０では、ソレノイドケース３１を強磁性材料により形成すると共にソレノイドケース３１のケース外まで突出するようプランジャ３６に連結された連結棒７１に磁石ユニット７０をねじ込みにより取り付けるものとしたが、ソレノイドケース３１側に永久磁石を取り付け、ケース外の連結棒７１に強磁性体をねじ込みにより取り付けるものとしても構わない。また、実施例のリニアソレノイド弁２０では、ソレノイドケース３１を強磁性材料により形成するものとしたが、磁石ユニット７０の永久磁石７２に吸引されればよいから、ソレノイドケース３１にも永久磁石を取り付けるものとしても構わない。
【００２９】
実施例のリニアソレノイド弁２０では、オートマチックトランスミッションに組み込まれたクラッチやブレーキの油圧制御に用いるものとしたが、これに限定されるものではなく、流体圧により作動する如何なる作動機構の流体圧制御に用いるものとしてもよい。
【００３０】
ここで、実施例の主要な要素と課題を解決するための手段の欄に記載した発明の主要な要素との対応関係について説明する。実施例では、調圧バルブ部４０が「弁部」に相当し、ソレノイド部３０が「ソレノイド部」に相当し、スプリング４４が「付勢部材」に相当し、ソレノイドケース３１が「ソレノイドケース」に相当し、磁石ユニット７０がねじ込みにより取り付けられた連結棒７１が「軸部材」に相当する。また、カバー７４が「カバー部材」に相当する。第１ピン１７８ａと第２ピン１７８ｂとからなる固定金具１７８が「固定具」に相当する。ここで、なお、実施例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３２】
本発明は、リニアソレノイド弁の製造産業などに利用可能である。
【符号の説明】
【００３３】
１０  バルブボディ、２０  リニアソレノイド弁、３０  ソレノイド部、３１  ケース、３１ａ  貫通孔、３２  電磁コイル、３２ａ  ボビン、３３  非磁性体、３４  第１のコア、３４ａ  フランジ部、３４ｂ  円筒部、３４ｃ  段差部、３４ｄ  リング、３５  第２のコア、３６  プランジャ、３６ａ  係合凹部、３８  シャフト、３９  コネクタ部、４０  調圧バルブ部、４２  エンドプレート、４４  スプリング、５０  スリーブ、５２  入力ポート、５４  出力ポート、５６  ドレンポート、５８  フィードバックポート、５８ａ  フィードバック用油路、６０  スプール、６２，６４，６６  ランド、６８  縮径部、７０，１７０  磁石ユニット、７１  連結棒、７２  永久磁石、７４，１７４  カバー、７４ａ，１７４ａ  縮径部、８１  ストレーナ、８２  ポンプ、８４  レギュレータバルブ、８６  リニアソレノイド弁、８８  クラッチ、１７８  固定金具、１７８ａ  第１ピン、１７８ｂ  第２ピン。
【図１】
2012021611.tif 000003
【図２】
2012021611.tif 000004
【図３】
2012021611.tif 000005
【図４】
2012021611.tif 000006
【図５】
2012021611.tif 000007
【図６】
2012021611.tif 000008
【図７】
2012021611.tif 000009
【図８】
2012021611.tif 000010